(57)【要約】【課題】放射線画像撮影用カセッテにおいて、外部からの振動や衝撃が、輝尽性蛍光体層を備えた支持板に作用しにくくする。【解決手段】バック板２０と、そのバック板２０の放射線照射側に着脱自在に備えられるフロント板１０とにより構成される放射線画像撮影用カセッテ（１、２、３、４、５）の内周面に当接するように設けられた緩衝材（３０、３１、３２、８０、９１、９２）が、輝尽性蛍光体層５０が設けられている支持板４０を、バック板２０とフロント板１０とから離間した位置に配設する構成にし、放射線画像撮影用カセッテ（バック板、フロント板）に外部から作用する振動や衝撃などの作用力のほとんどを緩衝材が吸収し、支持板４０にはほとんど伝わらないようにした。【選択図】      図３
2004219705.tif 000002
【特許請求の範囲】
【請求項１】
バック板と、
前記バック板の放射線照射側に配置され、当該バック板に着脱自在に備えられるフロント板と、により構成され、内部空間を有する放射線画像撮影用カセッテであって、
前記内部空間を形成する前記バック板の放射線照射側の前面と、前記フロント板の放射線照射側の反対側の後面と、前記前面と前記後面との間の内側面とに夫々当接するように設けられる緩衝材と、
前記緩衝材に、その縁部が支持されて、前記バック板と前記フロント板とから離間した位置に配設される支持板と、
前記支持板の放射線照射側の面と、放射線照射側の反対側の面の何れか一方に設けられる輝尽性蛍光体と、
を有することを特徴とする放射線画像撮影用カセッテ。
【請求項２】
前記緩衝材は、前記支持板の縁部の全周縁を覆うとともに、前記バック板の前面、前記フロント板の後面、及び内側面に密着するように設けられ、前記支持板の周囲に気密空間を形成することを特徴とする請求項１に記載の放射線画像撮影用カセッテ。
【請求項３】
バック板と、
前記バック板の放射線照射側に配置され、当該バック板に着脱自在に備えられるフロント板と、により構成され、内部空間を有する放射線画像撮影用カセッテであって、
前記内部空間を形成する前記バック板の放射線照射側の前面に当接するように設けられる第１の緩衝材と、
前記内部空間を形成する前記フロント板の放射線照射側の反対側の後面に当接するように設けられる第２の緩衝材と、
前記第１の緩衝材と、前記第２の緩衝材とに、その縁部が挟持されて、前記バック板と前記フロント板とから離間した位置に配設される支持板と、
前記支持板の放射線照射側の面と、放射線照射側の反対側の面の何れか一方に設けられる輝尽性蛍光体と、
を有することを特徴とする放射線画像撮影用カセッテ。
【請求項４】
前記第１の緩衝材は、前記支持板の放射線照射側の反対側の面における縁部の全周縁を覆うとともに、前記バック板の前面に密着するように設けられ、前記第２の緩衝材は、前記支持板の放射線照射側の面における縁部の全周縁を覆うとともに、前記フロント板の後面に密着するように設けられ、前記第１の緩衝材と前記第２の緩衝材とが密着することにより、それぞれ前記支持板の周囲に気密空間を形成することを特徴とする請求項３に記載の放射線画像撮影用カセッテ。
【請求項５】
前記バック板と前記支持板との間、或いは前記フロント板と前記支持板との間の、少なくとも一方に第３の緩衝材を備えたことを特徴とする請求項１〜４の何れか一項に記載の放射線画像撮影用カセッテ。
【請求項６】
前記バック板と前記支持板との間に、放射線遮蔽能を有するゴムを備えたことを特徴とする請求項１〜５の何れか一項に記載の放射線画像撮影用カセッテ。
【発明の詳細な説明】
【０００１】
【発明の属する技術分野】
本発明は、放射線画像撮影用カセッテに関する。
【０００２】
【従来の技術】
従来より、病気診断等を目的として、Ｘ線画像に代表される放射線画像が用いられている。このような放射線画像を得るための方式として、近年においては、輝尽性蛍光体を採用した放射線画像読取方式が提案され、実用化されている。この方式においては、被写体を透過させた放射線を輝尽性蛍光体に照射して、被写体各部の放射線透過度に対応する放射線エネルギーを蓄積させる。そして、この輝尽性蛍光体を輝尽励起光で走査することによって蓄積させた放射線エネルギーを輝尽発光光として放出させ、光電変換手段を用いてこの輝尽発光光を画像信号に変換して、デジタル画像データとして放射線画像を得ている。
【０００３】
この輝尽性蛍光体を筐体の内部に配置し、外光を遮断するように保存するとともに、輝尽性蛍光体を外因による損傷から防ぐように構成されて放射線画像の撮影に用いられる、カセッテと呼ばれるものが知られている。
このようなカセッテ１００として、図７に示されるように、筐体１０００の本体内にスペーサー２００を介して取り付けられた支持板（基台）４５に、樹脂板上に輝尽性蛍光体が設けられた蛍光板５５が備えられるとともに、筐体本体内の内側面に緩衝材３００が設けられたものが知られている（例えば、特許文献１参照。）。
【０００４】
【特許文献１】
特開２００１−３４６７８８号公報
【０００５】
【発明が解決しようとする課題】
しかしながら、上記特許文献１の場合、カセッテ１００の側面方向からの衝撃は、筐体本体内の内側面に設けられた緩衝材３００が吸収することで、筐体本体内の支持板４５や蛍光板５５を保護することができるが、カセッテ１００の前後面方向からの衝撃に対しては、弱いという問題があった。また、筐体１０００に加わる振動は、スペーサー２００を介して支持板４５や蛍光板５５に伝わり易いので、そのような振動などの作用により蛍光板５５から輝尽性蛍光体が剥がれやすくなり、脱落することがあるという問題があった。
【０００６】
本発明の課題は、外部からの振動や衝撃が、輝尽性蛍光体を備えた支持板に作用しにくい放射線画像撮影用カセッテを提供することである。
【０００７】
【課題を解決するための手段】
以上の課題を解決するため、請求項１記載の発明は、
バック板と、
前記バック板の放射線照射側に配置され、当該バック板に着脱自在に備えられるフロント板と、により構成され、内部空間を有する放射線画像撮影用カセッテであって、
前記内部空間を形成する前記バック板の放射線照射側の前面と、前記フロント板の放射線照射側の反対側の後面と、前記前面と前記後面との間の内側面とに夫々当接するように設けられる緩衝材と、
前記緩衝材に、その縁部が支持されて、前記バック板と前記フロント板とから離間した位置に配設される支持板と、
前記支持板の放射線照射側の面と、放射線照射側の反対側の面の何れか一方に設けられる輝尽性蛍光体と、
を有することを特徴とする。
【０００８】
請求項１記載の発明によれば、バック板と、そのバック板の放射線照射側に着脱自在に備えられるフロント板とにより構成される放射線画像撮影用カセッテの内部の三方向の面（バック板の放射線照射側の前面、フロント板の放射線照射側の反対側の後面、前面と後面との間の内側面）に当接するように設けられた緩衝材が、輝尽性蛍光体が設けられている支持板を、バック板とフロント板とから離間した位置に配設している。つまり、放射線画像撮影用カセッテ（バック板、フロント板）に外部から作用する振動や衝撃などの作用力は、緩衝材を介して支持板に伝達されることになるが、支持板がバック板とフロント板とから離間した位置に緩衝材に支持されているので、その際に緩衝材がその作用力のほとんどを吸収することとなる。よって、外部からの振動や衝撃のような作用力は、支持板にほとんど伝わらない。
従って、外部からの振動や衝撃のような作用力により、支持板に設けられた輝尽性蛍光体が支持板から剥がれるなどの破損を防止することができ、放射線画像撮影用カセッテの耐久性を向上させることができる。
【０００９】
請求項２記載の発明は、請求項１に記載の放射線画像撮影用カセッテにおいて、
前記緩衝材は、前記支持板の縁部の全周縁を覆うとともに、前記バック板の前面、前記フロント板の後面、及び内側面に密着するように設けられ、前記支持板の周囲に気密空間を形成することを特徴とする。
【００１０】
請求項２記載の発明によれば、請求項１に記載の発明と同様の作用を奏するとともに、緩衝材は、支持板の縁部の全周縁を覆うとともに、バック板の前面、フロント板の後面、及び内側面に密着するように設けられ、支持板の周囲に気密空間を形成している。つまり、支持板が、緩衝材とバック板とフロント板とで囲われる放射線画像撮影用カセッテの内部空間は気密性が高い気密空間であるので、放射線画像撮影用カセッテ自体がエアクッション様の機能を有するようになる。よって、放射線画像撮影用カセッテの外部から圧力が作用した際に、そのような圧力に抗することができ、バック板やフロント板が撓むなどの歪みが生じにくくなる。従って、放射線画像撮影用カセッテ自体や、その内部に備えられる支持板に設けられた輝尽性蛍光体がより損傷しにくくなって、放射線画像撮影用カセッテの耐久性が向上する。
【００１１】
請求項３記載の発明は、
バック板と、
前記バック板の放射線照射側に配置され、当該バック板に着脱自在に備えられるフロント板と、により構成され、内部空間を有する放射線画像撮影用カセッテであって、
前記内部空間を形成する前記バック板の放射線照射側の前面に当接するように設けられる第１の緩衝材と、
前記内部空間を形成する前記フロント板の放射線照射側の反対側の後面に当接するように設けられる第２の緩衝材と、
前記第１の緩衝材と、前記第２の緩衝材とに、その縁部が挟持されて、前記バック板と前記フロント板とから離間した位置に配設される支持板と、
前記支持板の放射線照射側の面と、放射線照射側の反対側の面の何れか一方に設けられる輝尽性蛍光体と、
を有することを特徴とする。
【００１２】
請求項３記載の発明によれば、バック板と、そのバック板の放射線照射側に着脱自在に備えられるフロント板とにより構成される放射線画像撮影用カセッテにおいて、バック板の前面に当接するように設けられた第１の緩衝材と、フロント板の後面に当接するように設けられた第２の緩衝材とが、輝尽性蛍光体が設けられている支持板を挟持して、バック板とフロント板とから離間した位置に配設している。つまり、放射線画像撮影用カセッテにおいて、支持板は、バック板とフロント板とから離間した位置に第１の緩衝材と第２の緩衝材とを介して備えられているので、放射線画像撮影用カセッテ（バック板、フロント板）に外部から作用する振動や衝撃などの作用力は、第１の緩衝材と第２の緩衝材とを介して支持板に伝達されることになるが、その際に緩衝材がその作用力のほとんどを吸収することとなる。よって、外部からの振動や衝撃のような作用力は、支持板にほとんど伝わらない。
従って、外部からの振動や衝撃のような作用力により、支持板に設けられた輝尽性蛍光体が支持板から剥がれるなどの破損を防止することができ、放射線画像撮影用カセッテの耐久性を向上させることができる。
【００１３】
請求項４記載の発明は、請求項３に記載の放射線画像撮影用カセッテにおいて、
前記第１の緩衝材は、前記支持板の放射線照射側の反対側の面における縁部の全周縁を覆うとともに、前記バック板の前面に密着するように設けられ、前記第２の緩衝材は、前記支持板の放射線照射側の面における縁部の全周縁を覆うとともに、前記フロント板の後面に密着するように設けられ、前記第１の緩衝材と前記第２の緩衝材とが密着することにより、それぞれ前記支持板の周囲に気密空間を形成することを特徴とする。
【００１４】
請求項４記載の発明によれば、請求項３に記載の発明と同様の作用を奏するとともに、第１の緩衝材は、支持板の放射線照射側の反対側の面における縁部の全周縁を覆うとともに、バック板の前面に密着するように設けられている。また、第２の緩衝材は、支持板の放射線照射側の面における縁部の全周縁を覆うとともに、フロント板の後面に密着するように設けられている。さらに、第１の緩衝材と第２の緩衝材とが密着することにより、支持板の周囲に気密空間が形成される。つまり、支持板が配設される、第１の緩衝材とバック板と第２の緩衝材とフロント板とで囲われる放射線画像撮影用カセッテの内部空間は気密性が高い気密空間であるので、放射線画像撮影用カセッテ自体がエアクッション様の機能を有するようになる。
よって、放射線画像撮影用カセッテの外部から圧力が作用した際に、そのような圧力に抗することができ、バック板やフロント板が撓むなどの歪みが生じにくくなる。従って、放射線画像撮影用カセッテ自体や、その内部に備えられる支持板に設けられた輝尽性蛍光体がより損傷しにくくなって、放射線画像撮影用カセッテの耐久性が向上する。
【００１５】
請求項５記載の発明は、請求項１〜４の何れか一項に記載の放射線画像撮影用カセッテにおいて、
前記バック板と前記支持板との間、或いは前記フロント板と前記支持板との間の、少なくとも一方に第３の緩衝材を備えたことを特徴とする。
【００１６】
請求項５記載の発明によれば、請求項１〜４の何れか一項に記載の発明と同様の作用を奏するとともに、バック板と支持板との間、或いはフロント板と支持板との間の、少なくとも一方に第３の緩衝材が備えられている。よって、第３の緩衝材は、放射線画像撮影用カセッテに作用する振動や衝撃を吸収することにより、放射線画像撮影用カセッテに備えられている支持板へ、振動や衝撃の伝達を防ぐことができる。
従って、そのような振動や衝撃によって、支持板に設けられた輝尽性蛍光体が破損されることを防止することができ、放射線画像撮影用カセッテの耐久性の向上を図ることができる。
【００１７】
請求項６記載の発明は、請求項１〜５の何れか一項に記載の放射線画像撮影用カセッテにおいて、
前記バック板と前記支持板との間に、放射線遮蔽能を有するゴムを備えたことを特徴とする
【００１８】
請求項６記載の発明によれば、請求項１〜５の何れか一項に記載の発明と同様の作用を奏するとともに、バック板と前記支持板との間に、放射線遮蔽能を有するゴムが備えられている。つまり、放射線遮蔽能を有するゴムは、支持板に備えられた輝尽性蛍光体に対し、バック板側から輝尽性蛍光体へ向かう散乱放射線を遮蔽する。さらに、放射線遮蔽能を有するゴムの弾性力により、放射線画像撮影用カセッテに作用する振動や衝撃を吸収することができる。
よって、放射線遮蔽能を有するゴムは、放射線遮蔽能とともに緩衝材としての機能を有する。従って、放射線遮蔽能を有するゴムは、散乱放射線によるノイズ画像が輝尽性蛍光体に記録されることを防止し、放射線画像撮影用カセッテに記録される放射線画像の画質の向上を図るとともに、放射線画像撮影用カセッテに収容する輝尽性蛍光体の破損を防止し、放射線画像撮影用カセッテの耐久性の向上を図ることができる。
【００１９】
【発明の実施の形態】
以下、本発明の実施の形態を図１から図６に基づいて説明する。
〔第１の実施の形態〕
図１は、本発明にかかる放射線画像撮影用カセッテ１（以下、カセッテ１）を示す平面図であり、図２は、図１のＩＩ−ＩＩ線における断面図である。
図１、図２に示されるように、カセッテ１は、平面形状が長方形状を呈する筐体であり、バック板２０と、バック板２０に着脱自在に備えられるフロント板１０等より構成されている。
【００２０】
バック板２０は、図１、図２に示されるように、後面部２１と、後面部２１から前面側（フロント板１０側）に略直角に屈曲した側面部２２とを有する。その後面部２１と側面部２２とで囲まれた空間に収容部２３が形成されている。
バック板２０の収容部２３には、緩衝材３０と、緩衝材３０が保持する支持板４０と、支持板４０に形成された輝尽性蛍光体層５０とが備えられている。
【００２１】
バック板２０の材料としては、その収容部２３に備える支持板４０に形成された輝尽性蛍光体層５０の物理的損傷を防止できる程度の剛性を有するものであればいかなるものでもよく、各種金属、合成樹脂、繊維強化樹脂などを用いることができる。
【００２２】
緩衝材３０は、カセッテ１に外部から振動や衝撃が加えられた際に、その振動や衝撃を吸収するものであり、例えば、ウレタン、ゴム、ゲル材料等により形成されている。
緩衝材３０は、断面視略「コ」字形状を呈するように溝部３０ａが形成されており、緩衝材３０は、バック板２０の収容部２３の４箇所の隅部に、バック板２０（後面部２１）の放射線照射側の面（前面）２１ａと、側面部２２の内側面２２ａとに当接するように、接着剤や両面テープ等により固定されている。
【００２３】
支持板４０は、緩衝材３０の溝部３０ａにその支持板４０の縁部４０ａが支持されて、バック板２０とフロント板１０とから離間した位置に保持されるように、配設されている。
支持板４０の材料としては、支持板４０に形成された輝尽性蛍光体層５０の物理的損傷を防止する目的で、剛性の高い材料で製作されることが好ましく、各種金属、合成樹脂、炭素繊維強化樹脂（ＣＦＲＰ；Ｃａｒｂｏｎ  Ｆｉｂｅｒ    Ｒｅｉｎｆｏｒｃｅｄ    Ｐｌａｓｔｉｃｓ）などを用いることができる。なかでも炭素繊維強化樹脂が好ましく、本実施の形態では、炭素繊維強化樹脂で形成された支持板４０を用いることとする。
【００２４】
輝尽性蛍光体層５０は、支持板４０の放射線照射側の面（表面）に輝尽性蛍光体、特に本実施の形態においては一般式（１）で表されるハロゲン化アルカリを母体とする輝尽性蛍光体が気相成長法（気相堆積法ともいう）によって、所定の厚みに形成されたものである。
一般式  ；  Ｍ１Ｘ・ａＭ２Ｘ’２・ｂＭ３Ｘ’’３：ｅＡ    ・・・（１）
【００２５】
一般式（１）で表される輝尽性蛍光体において、Ｍ１はＬｉ、Ｎａ、Ｋ、Ｒｂ及びＣｓの各原子から選ばれる少なくとも１種のアルカリ金属原子であり、なかでもＲｂ及びＣｓが好ましく、更に好ましくはＣｓである。
Ｍ２はＢｅ、Ｍｇ、Ｃａ、Ｓｒ、Ｂａ、Ｚｎ、Ｃｄ、Ｃｕ及びＮｉの各原子から選ばれる少なくとも１種の二価金属原子であり、なかでもＢｅ、Ｍｇ、Ｃａ、Ｓｒ及びＢａが好ましい。
Ｍ３はＳｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｌ、Ｇａ及びＩｎの各原子から選ばれる少なくとも１種の三価金属原子であり、なかでもＹ、Ｃｅ、Ｓｍ、Ｅｕ、Ａｌ、Ｌａ、Ｇｄ、Ｌｕ、Ｇａ及びＩｎが好ましい。
Ｘ、Ｘ’、Ｘ’’は、輝尽性蛍光体の輝尽発光輝度向上の観点から、Ｆ、Ｃｌ、Ｂｒ及びＩの各原子から選ばれる少なくとも１種のハロゲン原子であり、なかでもＦ、Ｃｌ及びＢｒが好ましく、更に好ましくはＢｒである。
ＡはＥｕ、Ｔｂ、Ｉｎ、Ｃｓ、Ｃｅ、Ｔｍ、Ｄｙ、Ｐｒ、Ｈｏ、Ｎｄ、Ｙｂ、Ｅｒ、Ｇｄ、Ｌｕ、Ｓｍ、Ｙ、Ｔｌ、Ｎａ、Ａｇ、Ｃｕ及びＭｇの各原子から選ばれる少なくとも１種の金属原子であり、なかでもＥｕが好ましい。これら金属は、例えば、賦活剤として用いられる。
【００２６】
また、化学量論的に一般式（１）で表される輝尽性蛍光体において、ａ、ｂ、ｅはそれぞれ、０≦ａ＜０．５、好ましくは０≦ａ＜０．０１、０≦ｂ＜０．５、好ましくは０≦ｂ＜０．０１、０＜ｅ≦０．２、好ましくは０＜ｅ≦０．１の数値範囲である。
【００２７】
そして、特に、本実施の形態においては、前述の一般式（１）における好適な原子（Ｍ１；Ｃｓ、Ｘ；Ｂｒ）の組み合わせであるＣｓＢｒを母体とする輝尽性蛍光体を用いることとする。
【００２８】
また、輝尽性蛍光体層５０を形成するための気相成長法としては、蒸着法、スパッタリング法、ＣＶＤ法、イオンプレーティング法などの方法を用いることができる。
なお、上記の気相成長法による輝尽性蛍光体層５０の作成にあたり、輝尽性蛍光体層５０が形成される支持板４０は１００℃以上の高温にさらされることとなるが、支持板４０は炭素繊維強化樹脂により構成されており十分な耐熱性を有するので、気相成長法による輝尽性蛍光体層５０の形成が可能である。また、気相成長法による輝尽性蛍光体層５０の形成をより精密に制御して行うことで、輝尽性蛍光体のＣｓＢｒの柱状結晶の大きさ等をコントロールし、輝尽性蛍光体層５０における、変調伝達関数（ＭＴＦ）をよくすることができ、より高感度、高精鋭性を両立する輝尽性蛍光体層５０とすることができる。
【００２９】
また、輝尽性蛍光体層５０の所定の厚みは、カセッテ１の使用目的毎により異なるが、所望する放射線画像を撮影するためには５０μｍ以上の厚みが必要であり、好ましくは５０μｍ〜２０００μｍであり、更に好ましくは１００μｍ〜６００μｍであり、特に好ましくは４００μｍ〜６００μｍである。
【００３０】
フロント板１０は、略平板状の部材であり、バック板２０と組み合わされて合体した状態で、バック板２０の収容部２３を覆う。この際、フロント板１０は、フロント板１０の放射線照射側の反対側の面（後面）１０ａは、緩衝材３０に当接するように合体する。
【００３１】
このフロント板１０の材料としては、収容する輝尽性蛍光体層５０の物理的損傷を防止する目的で、剛性の高い材料で製作されることが好ましく、且つ輝尽性蛍光体層５０に好適に放射線画像を記録、撮影するために、放射線（Ｘ線）透過率が高い材料で製作されることが好ましい。よって、フロント板１０の材料としては、例えば、アルミニウム、炭素繊維強化樹脂、アクリル樹脂、フェノール樹脂、ポリイミド樹脂、これら樹脂とアルミニウムとの複合材などを用いることができ、なかでも炭素繊維強化樹脂が好ましい。
また、フロント板１０の厚さは、放射線（Ｘ線）の透過を阻害せずに、その強度を維持するために、１ｍｍ〜５ｍｍ程度であることが好ましい。
【００３２】
このように、バック板２０とフロント板１０とが合体して構成するカセッテ１は、その内部の空間（バック板２０の収容部２３）に収容され、備えられている支持板４０に形成された輝尽性蛍光体層５０が、放射線画像撮影時や搬送時等における外因により損傷することを防止するとともに、輝尽性蛍光体層５０に外光が照射されることを防いで記録、撮影された放射線画像が消滅することを防止するものである。
【００３３】
特に、本発明のカセッテ１において、支持板４０は、カセッテ１の内周面であるバック板２０の前面２１ａ及び内側面２２ａと、フロント板１０の後面１０ａとに当接する緩衝材３０により、バック板２０とフロント板１０とから離間した位置に支持されて、配設されているので、カセッテ１（バック板２０、フロント板１０）に外部から加わる振動や衝撃は、支持板４０に伝わりにくい。つまり、緩衝材３０は、このような三方向の面（バック板２０の前面２１ａ及び内側面２２ａ、フロント板１０の後面１０ａ）に当接しているので、カセッテ１に外部から作用するどのような方向からの振動や衝撃も、必ず緩衝材３０を介して支持板４０に伝達されることとなり、その振動や衝撃のほとんどが緩衝材３０に吸収されるので、支持板４０にはほとんど伝わらない。
よって、そのような振動や衝撃により、支持板４０に形成された輝尽性蛍光体層５０に亀裂が入ったり、輝尽性蛍光体層５０が支持板４０から剥がれたりすることを防ぎ、輝尽性蛍光体層５０の破損を防止することができ、カセッテ１の耐久性を向上させることができる。
【００３４】
〔第２の実施の形態〕
次に、本発明にかかる放射線画像撮影用カセッテの第２の実施の形態を、図３に基づき説明する。なお、第１の実施の形態と同一部分には同一符号を付し、異なる部分についてのみ説明する。
図３（ａ）、（ｂ）に示されるように、放射線画像撮影用カセッテ２（以下、カセッテ２）は、バック板２０と、バック板２０に着脱自在に備えられるフロント板１０等より構成されている。
【００３５】
バック板２０の収容部２３には、第１の緩衝材としての緩衝材３１と、緩衝材３１が支持する支持板４０と、支持板４０に形成された輝尽性蛍光体層５０とが備えられている。
【００３６】
緩衝材３１は、カセッテ２（バック板２０）に外部から振動や衝撃が加えられた際に、その振動や衝撃を吸収するものであり、例えば、ウレタン、ゴム、ゲル材料等により形成されている。
緩衝材３１は、断面視略「Ｌ」字形状を呈するように溝部３１ａが形成されており、緩衝材３１は、バック板２０の収容部２３の４箇所の隅部に、バック板２０（後面部２１）の放射線照射側の面（前面）２１ａと、側面部２２の内側面２２ａとに当接するように、接着剤や両面テープ等により固定されている。
【００３７】
フロント板１０は、略平板状の部材であり、バック板２０と組み合わされて合体した状態で、バック板２０の収容部２３を覆う。
フロント板１０の放射線照射側の反対側の面（後面）１０ａにおける、緩衝材３１に対向する位置には、第２の緩衝材としての平板形状の緩衝材３２が接着剤や両面テープ等により固定されて、備えられている。緩衝材３２は、カセッテ２（フロント板１０）に外部から振動や衝撃が加えられた際に、その振動や衝撃を吸収するものであり、例えば、ウレタン、ゴム、ゲル材料等により形成されている。
【００３８】
支持板４０は、バック板２０における緩衝材３１の溝部３１ａにその支持板４０の縁部４０ａが支持されるとともに、フロント板１０がバック板２０に組み合わされることに伴い、緩衝材３１と緩衝材３２とにより挟持されて、バック板２０とフロント板１０とから離間した位置に保持されるように、配設されている。
【００３９】
このように、バック板２０とフロント板１０とが組み合わされて、合体して構成するカセッテ２において、支持板４０は、カセッテ２の内周面であるバック板２０の前面２１ａ及び内側面２２ａとに当接する緩衝材３１と、カセッテ２の内周面であるフロント板１０の後面１０ａ及びバック板２０の内側面２２ａとに当接する緩衝材３２により挟持されて、バック板２０とフロント板１０とから離間した位置に保持されて、配設されているので、カセッテ２（バック板２０、フロント板１０）に外部から加わる振動や衝撃は、支持板４０に伝わりにくい。つまり、支持板４０は、このような三方向の面（バック板２０の前面２１ａ及び内側面２２ａ、フロント板１０の後面１０ａ）に当接する緩衝材３１，３２に保持されているので、カセッテ２に外部から作用するどのような方向からの振動や衝撃も、必ず緩衝材３１，３２を介して支持板４０に伝達されることとなり、その振動や衝撃のほとんどが緩衝材３１，３２に吸収されるので、支持板４０にはほとんど伝わらない。
よって、そのような振動や衝撃により、支持板４０に形成された輝尽性蛍光体層５０に亀裂が入ったり、輝尽性蛍光体層５０が支持板４０から剥がれたりすることを防ぎ、輝尽性蛍光体層５０の破損を防止することができ、カセッテ２の耐久性を向上させることができる。
【００４０】
また、図３（ｂ）に示されるように、カセッテ２のフロント板１０を取り外すことに伴い、緩衝材３２が支持板４０や緩衝材３１から離隔し、支持板４０が、緩衝材３１の溝部３１ａに支持された状態となるので、支持板４０をバック板２０から取り外すことを容易に行うことが可能になる。よって、支持板４０に形成された輝尽性蛍光体層５０に記録、撮影された放射線画像の読み取り方法のバリエーションが広がり、様々なタイプの放射線画像読取装置に適用することが可能なカセッテ２とすることができる。
【００４１】
〔第３の実施の形態〕
次に、本発明にかかる放射線画像撮影用カセッテの第３の実施の形態を、図４に基づき説明する。なお、第１、第２の実施の形態と同一部分には同一符号を付し、異なる部分についてのみ説明する。
図４に示されるように、放射線画像撮影用カセッテ３（以下、カセッテ３）は、バック板２０と、バック板２０に着脱自在に備えられるフロント板１０等より構成されている。
【００４２】
バック板２０の収容部２３には、第１の緩衝材としての緩衝材３１と、緩衝材３１が支持する支持板４０と、支持板４０に形成された輝尽性蛍光体層５０と、第３の緩衝材としての緩衝材６０とが備えられている。
【００４３】
緩衝材６０は、カセッテ３（バック板２０）に外部から振動や衝撃が加えられた際に、その振動や衝撃を吸収し、それらが支持板４０（輝尽性蛍光体層５０）に伝わりにくくし、輝尽性蛍光体層５０が破損することを防止するためのものである。緩衝材６０は、例えば、不織布、ゴムシート、ゲルシート、等を用いることができ、バック板２０において、支持板４０に対向する位置であるバック板２０（後面部２１）の前面２１ａに、接着剤や両面テープなどにより貼付されている。
【００４４】
特に、緩衝材６０を、重金属等の粉末が高分子樹脂に練り込まれた放射線遮蔽能を有するゴム（例えば、住友電気株式会社製へビイメタルシート、カネボウ合繊株式会社製カネボウ高比重樹脂等）で形成されたゴムシートとすれば、緩衝材としての機能を有しつつ、被写体等の物体を透過する際に散乱した低エネルギーの放射線（散乱放射線）のうち、支持板４０の裏面側から輝尽性蛍光体層５０に向かう散乱放射線を遮蔽し、除去する散乱放射線遮蔽機能を有することとなる。それに伴い、輝尽性蛍光体層５０に散乱放射線によるノイズ画像が記録されることを防止し、放射線画像の画質の向上を図ることができる。
【００４５】
フロント板１０は、略平板状の部材であり、バック板２０と組み合わされて合体した状態で、バック板２０の収容部２３を覆う。
フロント板１０の後面１０ａにおける、緩衝材３１に対向する位置には、第２の緩衝材としての平板形状の緩衝材３２が接着剤や両面テープ等により固定されて、備えられている。
また、フロント板１０における、支持板４０（輝尽性蛍光体層５０）に対向する位置であるフロント板１０の後面１０ａには、第３の緩衝材としての緩衝材７０が備えられている。
【００４６】
緩衝材７０は、カセッテ３（フロント板１０）に外部から振動や衝撃が加えられた際に、その振動や衝撃を吸収し、それらが輝尽性蛍光体層５０に伝わりにくくしたり、外力によりカセッテ３が撓んだり、歪んだりした際に、輝尽性蛍光体層５０が支持板４０から剥がれたり、輝尽性蛍光体層５０に亀裂が入ったりすることを防ぎ、輝尽性蛍光体層５０の破損を防止するためのものである。緩衝材７０は、例えば、不織布、ゴムシート、ゲルシート等を用いることができ、フロント板１０の後面１０ａに、接着剤や両面テープなどにより貼付されている。なお、緩衝材７０は、放射線（Ｘ線）透過率が高いもの、例えば、不織布が好ましい。
【００４７】
このように、本実施の形態にかかるカセッテ３は、振動や衝撃を吸収する緩衝材６０，７０をそれぞれ支持板４０の裏面側（放射線照射側の反対側）、表面側（放射線照射側）に備えたことにより、カセッテ３に収容される輝尽性蛍光体層５０の破損をより防止することができ、カセッテ３の耐久性をより向上することができる。
【００４８】
〔第４の実施の形態〕
次に、本発明にかかる放射線画像撮影用カセッテの第４の実施の形態を、図５に基づき説明する。なお、第１、第２の実施の形態と同一部分には同一符号を付し、異なる部分についてのみ説明する。
図５に示されるように、放射線画像撮影用カセッテ４（以下、カセッテ４）は、バック板２０と、バック板２０に着脱自在に備えられるフロント板１０等より構成されている。
【００４９】
バック板２０の収容部２３には、第１の緩衝材としての緩衝材８０と、緩衝材８０が支持する支持板４０と、支持板４０に形成された輝尽性蛍光体層５０とが備えられている。
【００５０】
緩衝材８０は、バック板２０（後面部２１）の前面２１ａとほぼ同じ形状である平面部８１と、平面部８１から後面側（バック板２０側）に突出し、バック板２０（後面部２１）の前面２１ａに当接するリブ８２・・・と、平面部８１から前面側（フロント板１０側）に突出した周縁部８３とを有する。
緩衝材８０は、バック板２０（後面部２１）の前面２１ａの全域に亘るように備えられているので、支持板４０に対向する位置であるバック板２０（後面部２１）の前面２１ａに配置される緩衝材８０部分は、第３の緩衝材としての緩衝材８０であるといえる。つまり、緩衝材８０は、第１の緩衝材と第３の緩衝材とを一体に形成したものといえる。
【００５１】
緩衝材８０は、カセッテ４（バック板２０）に外部から振動や衝撃が加えられた際に、その振動や衝撃を吸収するものであり、例えば、ウレタン、ゴム、ゲル材料等により形成されている。本実施の形態においては、緩衝材８０にリブ８２・・・を設けたことにより、緩衝材８０とバック板２０（後面部２１）との間に空気層を形成し、その振動や衝撃をより吸収しやすい構造としている。
【００５２】
また、特に、本実施の形態においては、緩衝材８０は、重金属等の粉末が高分子樹脂に練り込まれた放射線遮蔽能を有するゴム（例えば、住友電気株式会社製へビイメタルシート、カネボウ合繊株式会社製カネボウ高比重樹脂等）で形成されており、緩衝材としての機能を有しつつ、被写体等の物体を透過する際に散乱した低エネルギーの放射線（散乱放射線）のうち、支持板４０の裏面側から輝尽性蛍光体層５０に向かう散乱放射線を遮蔽し、除去する散乱放射線遮蔽機能を有している。それに伴い、輝尽性蛍光体層５０に散乱放射線によるノイズ画像が記録されることを防止し、放射線画像の画質の向上を図ることができる。
【００５３】
支持板４０は、緩衝材８０の周縁部８３に囲まれた凹部に支持されるように備えられている。
【００５４】
フロント板１０は、略平板状の部材であり、バック板２０と組み合わされて合体した状態で、バック板２０の収容部２３を覆う。
フロント板１０の放射線照射側の反対側の面（後面）１０ａにおける、緩衝材８０の周縁部８３に対向する位置には、第２の緩衝材としての平板形状の緩衝材３２が接着剤や両面テープ等により固定されて備えられている。緩衝材３２は、フロント板１０がバック板２０に組み合わされることに伴い、支持板４０の縁部４０ａを緩衝材８０とにより挟持して、バック板２０とフロント板１０とから離間した位置に保持して配設している。
【００５５】
このように、バック板２０とフロント板１０とが組み合わされて、合体して構成するカセッテ４において、支持板４０は、カセッテ４の内周面であるバック板２０の前面２１ａ及び内側面２２ａとに当接する緩衝材８０と、カセッテ４の内周面であるフロント板１０の後面１０ａ及びバック板２０の内側面２２ａとに当接する緩衝材３２により挟持されて、バック板２０とフロント板１０とから離間した位置に保持されて、配設されているので、カセッテ４（バック板２０、フロント板１０）に外部から加わる振動や衝撃は、支持板４０に伝わりにくい。つまり、カセッテ４に外部から作用する振動や衝撃は、必ず緩衝材８０，３２を介して支持板４０に伝達されることとなるが、その振動や衝撃のほとんどが緩衝材８０，３２に吸収されるので、支持板４０にはほとんど伝わらない。
よって、そのような振動や衝撃により、支持板４０に形成された輝尽性蛍光体層５０に亀裂が入ったり、輝尽性蛍光体層５０が支持板４０から剥がれたりすることを防ぎ、輝尽性蛍光体層５０の破損を防止することができ、カセッテ４の耐久性を向上させることができる。
【００５６】
また、緩衝材８０を、重金属等の粉末が高分子樹脂に練り込まれた放射線遮蔽能を有するゴムで形成したことにより、緩衝材８０は、緩衝材としての機能と、散乱放射線を遮蔽し、除去する散乱放射線遮蔽機能を有するので、輝尽性蛍光体層５０に散乱放射線によるノイズ画像が記録されることを防止し、放射線画像の画質の向上を図ることができる。
【００５７】
〔第５の実施の形態〕
次に、本発明にかかる放射線画像撮影用カセッテの第５の実施の形態を、図６に基づき説明する。なお、第１、第２の実施の形態と同一部分には同一符号を付し、異なる部分についてのみ説明する。
図６（ａ）は、本発明にかかる放射線画像撮影用カセッテ５（以下、カセッテ５）を示す平面図であり、図６（ｂ）は、図６（ａ）のｂ−ｂ線における断面図である。
図６（ａ）、（ｂ）に示されるように、カセッテ５は、バック板２０と、バック板２０に着脱自在に備えられるフロント板１０等より構成されている。
【００５８】
バック板２０の収容部２３には、第１の緩衝材としての緩衝材９１と、緩衝材９１が支持する支持板４０と、支持板４０に形成された輝尽性蛍光体層５０とが備えられている。
【００５９】
緩衝材９１は、カセッテ５（バック板２０）に外部から振動や衝撃が加えられた際に、その振動や衝撃を吸収するものであり、例えば、ウレタン、ゴム、ゲル材料等により形成されている。
緩衝材９１は、断面視略「Ｌ」字形状を呈するように溝部９１ａが形成されているとともに、緩衝材９１は、バック板２０の側面部２２の内側面２２ａの全周囲に当接するように、平面視略「ロ」字形状を呈するように形成されている。そして、緩衝材９１は、バック板２０（後面部２１）の前面２１ａと、側面部２２の内側面２２ａに密着するように、接着剤等により固定されている。
【００６０】
フロント板１０は、略平板状の部材であり、バック板２０と組み合わされて合体した状態で、バック板２０の収容部２３を覆う。
フロント板１０の放射線照射側の反対側の面（後面）１０ａにおける、緩衝材９１に対向する位置には、第２の緩衝材としての平板視略「ロ」字形状を呈する緩衝材９２が接着剤等により密着するように固定されて、備えられている。緩衝材９２は、カセッテ５（フロント板１０）に外部から振動や衝撃が加えられた際に、その振動や衝撃を吸収するものであり、例えば、ウレタン、ゴム、ゲル材料等により形成されている。
【００６１】
支持板４０は、バック板２０における緩衝材９１の溝部９１ａにその支持板４０の縁部４０ａの全周縁が密着するように支持されている。
また、フロント板１０がバック板２０に組み合わされることに伴い、緩衝材９２が支持板４０の縁部４０ａの全周縁に密着する。そして、緩衝材９１と緩衝材９２とが支持板４０を挟持し、バック板２０とフロント板１０とから離間した位置に保持するように、配設している。
【００６２】
このように、平面視略「ロ」字形状を呈する緩衝材９１を、バック板２０に密着するように設け、また平面視略「ロ」字形状を呈する緩衝材９２を、フロント板１０に密着するように設けられており、さらにフロント板１０がバック板２０に組み合わされる際に、緩衝材９１と緩衝材９２とが支持板４０を挟持しつつ密着するので、支持板４０の周囲に気密性の高い空間が形成される。つまり、支持板４０が配設される、第１の緩衝材とバック板と第２の緩衝材とフロント板とで囲われるカセッテ５の内部空間は気密性が高く、カセッテ５自体がエアクッション様の機能を有するようになる。
【００６３】
このように、カセッテ５の内部の空間の気密性を高くすることにより、カセッテ５自体がエアクッション様の機能を有するようになるので、カセッテ５の外部から、カセッテ５（バック板２０、フロント板１０）を変形させるような圧力などの作用力が加わった際に、そのような作用力に抗することができ、バック板２０やフロント板１０が撓むような歪みが生じにくくなる。よって、カセッテ５自体や、その内部に備えられる支持板４０に設けられた輝尽性蛍光体層５０がより損傷しにくくなり、カセッテ５の耐久性が向上する。
【００６４】
なお、カセッテ５の内部空間の気密性は、完全な気密でなくてもよく、例えば、カセッテ５に加わった衝撃により、その内部空間の空気（気体）の瞬間的な移動を阻止し、カセッテ５（バック板２０、フロント板１０）が変形されることを防ぐ抵抗になる程度の気密性であればよい。
【００６５】
以上のように、本発明にかかる放射線画像カセッテ（カセッテ１、２、３、４、５）において、そのカセッテの内周面に当接するように設けられた緩衝材（３０、３１、３２、８０、９１、９２）が、輝尽性蛍光体層５０が設けられている支持板４０を、バック板２０とフロント板１０とから離間した位置に配設するので、そのカセッテ（バック板２０、フロント板１０）に外部から作用する振動や衝撃などの作用力のほとんどを緩衝材が吸収し、支持板４０にはほとんど伝わらないようにすることができる。よって、外部からの振動や衝撃のような作用力により、支持板４０に設けられた輝尽性蛍光体層５０が支持板４０から剥がれたりするなど破損を防止することができる。
【００６６】
なお、以上の実施の形態においては、支持板４０の放射線照射側の面（表面）に輝尽性蛍光体層を設ける例を用いて説明したが、本発明はこれに限定されるものではなく、支持板４０放射線照射側の反対側の面（裏面）に輝尽性蛍光体層を設けてもよい。
【００６７】
また、以上の実施の形態においては、輝尽性蛍光体を、支持板４０の表面に直接を層状に形成した輝尽性蛍光体層５０を例に説明したが、本発明はこれに限定されるものではなく、輝尽性蛍光体は、例えば、プラスチックフィルムの表面や、２枚のプラスチックフィルムの間に輝尽性蛍光体を薄く形成した輝尽性蛍光体シートとして、支持板４０に備えるようにしてもよい。
【００６８】
また、以上の実施の形態においては、緩衝材３０、３１，３２を収容部２３の４箇所の隅部に設けるとしたが、本発明はこれに限定されるのものでなく、緩衝材３０、３１，３２は収容部２３の内側面２２ａの任意の位置に備えてもよい。
【００６９】
また、その他、具体的な細部構造等についても適宜に変更可能であることは勿論である。
【００７０】
【発明の効果】
本発明にかかる放射線画像撮影用カセッテによれば、輝尽性蛍光体が設けられた支持板は、放射線画像撮影用カセッテの三方向の面（バック板の放射線照射側の前面、フロント板の放射線照射側の反対側の後面、前面と後面との間の内側面）に当接するように設けられた緩衝材によって、バック板とフロント板とから離間した位置に配設されているので、放射線撮影用カセッテに外部から作用するどのような方向からの振動や衝撃も、必ず緩衝材を介して支持板に伝達されることとなり、その振動や衝撃のほとんどが緩衝材に吸収されることによって、支持板にはほとんど伝わらない。
従って、外部からの振動や衝撃のような作用力により、支持板に設けられた輝尽性蛍光体が支持板から剥がれるなどの破損を防止することができ、放射線画像撮影用カセッテの耐久性を向上させることができる。
【００７１】
また、緩衝材を、バック板の前面、フロント板の後面、及び内側面に密着するように設け、支持板の周囲に気密空間を形成することにより、放射線画像撮影用カセッテ自体にエアクッション様の機能を付与することができる。
よって、放射線画像撮影用カセッテの外部から圧力が作用した際に、そのような圧力に抗することができ、バック板やフロント板が撓むなどの歪みが生じにくくなる。従って、放射線画像撮影用カセッテ自体や、その内部に備えられる支持板に設けられた輝尽性蛍光体がより損傷しにくくなって、放射線画像撮影用カセッテの耐久性を向上させることができる。
【図面の簡単な説明】
【図１】本発明にかかる放射線画像撮影用カセッテを示す一部破断平面図である。
【図２】図１のＩＩ−ＩＩ線における断面図である。
【図３】本発明の第２の実施の形態における放射線画像撮影用カセッテの断面図であり、バック板にフロント板が組み合わされた状態（ａ）と、バック板からフロント板が取り外された状態（ｂ）である。
【図４】本発明の第３の実施の形態における放射線画像撮影用カセッテの断面図である。
【図５】本発明の第４の実施の形態における放射線画像撮影用カセッテの断面図である。
【図６】本発明の第５の実施の形態における放射線画像撮影用カセッテを示す一部破断平面図（ａ）と、ｂ−ｂ線における断面図（ｂ）である。
【図７】
従来の放射線画像撮影用カセッテの断面図である。
【符号の説明】
１、２、３、４、５  カセッテ（放射線画像撮影用カセッテ）
１０    フロント板
１０ａ  後面（フロント板の後面）
２０    バック板
２１    後面部
２１ａ  前面（バック板の後面部の前面）
２２    側面部
２２ａ  内側面（バック板の側面部の内側面）
２３    収容部（内部空間）
３０    緩衝材
３１    緩衝材（第１の緩衝材）
３２    緩衝材（第２の緩衝材）
４０    支持板
４０ａ  縁部
５０    輝尽性蛍光体層（輝尽性蛍光体）
６０    緩衝材（第３の緩衝材）
７０    緩衝材（第３の緩衝材）
８０    緩衝材（第１の緩衝材、第３の緩衝材）
９１    緩衝材（第１の緩衝材）
９２    緩衝材（第２の緩衝材）
【図１】
2004219705.tif 000003
【図２】
2004219705.tif 000004
【図３】
2004219705.tif 000005
【図４】
2004219705.tif 000006
【図５】
2004219705.tif 000007
【図６】
2004219705.tif 000008
【図７】
2004219705.tif 000009